(57)【要約】【課題】  シール装置の下面からの異物の侵入を防止して寿命低下を防止すると共に、コスト低減を図る。【解決手段】  スライダ２の軸方向の端部に設けられたシール装置が、案内レール１に摺接してスライダ２の軸方向の端部をシールするシール部材２０と、該シール部材２０を収納するケーシング部材３０とを具備する直動案内軸受装置において、ケーシング部材３０の下面に、案内レール１との間をシールするシール部３１を設ける。【選択図】      図１
2006170417.tif 000002
【特許請求の範囲】
【請求項１】
軸方向に延びる転動体転動面を有する案内レールと、該案内レールの前記転動体転動面に対向する転動体転動面を有し、これらの両転動体転動面間に挿入された多数の転動体の転動を介して軸方向に沿って相対移動可能に前記案内レールに跨架されたスライダと、該スライダの軸方向の端部に設けられたシール装置とを備え、
該シール装置が、前記案内レールに摺接して前記スライダの軸方向の端部をシールするシール部材と、該シール部材を収納するケーシング部材とを具備する直動案内軸受装置において、
前記ケーシング部材の下面に、前記案内レールとの間をシールするシール部を設けたことを特徴とする直動案内軸受装置。
【請求項２】
前記シール部材に潤滑剤を含浸させて該潤滑剤を前記案内レールに供給可能としたことを特徴とする請求項１に記載した直動案内軸受装置。
【発明の詳細な説明】
【技術分野】
【０００１】
本発明は、例えば工作機械や搬送装置等に用いられる直動案内軸受装置に関する。
【背景技術】
【０００２】
従来のこの種の直動案内軸受装置としては、例えば図７及び図８に示すものが知られている。
この直動案内軸受装置は、軸方向に延びる案内レール１と、該案内レール１上に軸方向に相対移動可能に跨架された断面略コ字状のスライダ２とを備えており、案内レール１の幅方向の両側面部にはそれぞれ軸方向に延びる転動体転動面３が片側上下二条列ずつ、合計４条列形成されている。スライダ２のスライダ本体２Ａには、その両袖部４の内側面にそれぞれ転動体転動面３に対向する転動体転動面５が片側上下二条列ずつ、合計４条列形成されている。
【０００３】
両転動体転動面３，５の間には転動体としての多数のころ６が転動自在に装填され、これらのころ６の転動を介してスライダ２が案内レール１上を軸方向に沿って相対移動できるようになっている。
この移動につれて、案内レール１とスライダ２との間に介在するころ６は転動してスライダ２の軸方向の端部に移動するが、スライダ２を軸方向に継続移動させていくためには、これらのころ６を無限に循環させる必要がある。
【０００４】
このため、スライダ本体２Ａの両袖部４内に軸方向に貫通する孔７を片側上下２箇所ずつ、合計４箇所形成して該孔７に内部がころ６の通路（転動体通路）８ａとされた循環スリーブ８を嵌め込むと共に、スライダ本体２Ａの軸方向の両端にそれぞれ転動体循環部品としての一対のエンドキャップ９をねじ１０等を介して固定し、このエンドキャップ９に上記両転動体転動面３，５間と上記転動体通路８ａとを連通する略円弧状に湾曲した方向転換路（図示せず）を形成することにより、ころ６の無限循環軌道を形成している。
【０００５】
そして、この例では、上側の転動体通路８ａと下側の両転動体転動面３，５間とを連通する方向転換路と、下側の転動体通路８ａと上側の両転動体転動面３，５間とを連通する方向転換路とを形成している。なお、図７において、符号１１はエンドキャップ９と共にスライダ本体２Ａの端面にねじ１０等を介して固定されたサイドシールである。
サイドシール１１はエンドキャップ９と同様に略コ字状とされて内周部が案内レール１に摺接するシール面とされており、鋼板等にゴムを焼付接着して形成されている。
【０００６】
ところで、工作機械等のように周辺に切削粉等の異物が発生する機械装置に用いる直動案内軸受装置では、上述したサイドシール１１によるシールだけでは十分でなく、かつ潤滑条件も厳しくなることから、従来においては、小さな異物のスライダ２内への侵入を防止するためのサイドシール１１とエンドキャップ９との間に案内レール１に摺接しつつ潤滑剤を供給する潤滑剤供給部材をケーシング部材に収容したシール装置を介装したものが提案されている（例えば特許文献１〜８参照）。
【０００７】
【特許文献１】特許第３２８８９６１号公報
【特許文献２】特開２００２−１４７４５３号公報
【特許文献３】特開２０００−１１０８３３号公報
【特許文献４】特開平１１−３０３８６６号公報
【特許文献５】特開２００１−１８７９１９号公報
【特許文献６】特開２０００−１４５７７１号公報
【特許文献７】特開２０００−１４５７６９号公報
【特許文献８】特開平１１−９３９５２号公報
【発明の開示】
【発明が解決しようとする課題】
【０００８】
しかしながら、上記特許文献１〜８においては、いずれのシール装置の場合も下面のシール機能は有しておらず、従って、シール装置の下面より異物が侵入し、直動案内軸受装置の寿命低下を招く虞れがある。
また、スライダ２の下面に取り付けられたアンダーシール（図示せず）をシール装置のの下面まで延長して異物の侵入を防ぐ方法があるが、この場合、シール装置装着時と非装着時とで異なる長さのアンダーシールを用意しておく必要があり、また、潤滑剤供給部材を複数重ねて装着する等で、シール装置の長手方向の長さが変わる場合にはそれぞれに応じた長さのアンダーシールを何種類も準備しておく必要があり、コストアップの要因となる。
本発明はこのような不都合を解消するためにされたものであり、シール装置の下面からの異物の侵入を防止して寿命低下を防止することができると共に、コスト低減を図ることができる直動案内軸受装置を提供することを目的とする。
【課題を解決するための手段】
【０００９】
上記目的を達成するために、請求項１に係る発明は、軸方向に延びる転動体転動面を有する案内レールと、該案内レールの前記転動体転動面に対向する転動体転動面を有し、これらの両転動体転動面間に挿入された多数の転動体の転動を介して軸方向に沿って相対移動可能に前記案内レールに跨架されたスライダと、該スライダの軸方向の端部に設けられたシール装置とを備え、
該シール装置が、前記案内レールに摺接して前記スライダの軸方向の端部をシールするシール部材と、該シール部材を収納するケーシング部材とを具備する直動案内軸受装置において、
前記ケーシング部材の下面に、前記案内レールとの間をシールするシール部を設けたことを特徴とする。
請求項２に係る発明は、請求項１において、前記シール部材に潤滑剤を含浸させて該潤滑剤を前記案内レールに供給可能としたことを特徴とする。
【発明の効果】
【００１０】
本発明によれば、シール装置のケーシング部材の下面にシール部を設けることで、シール装置の下面からの異物の侵入を防止することができ、これにより、直動案内軸受装置の寿命低下を防止することができる。
また、シール装置のケーシング部材の下面にシール部を設けているので、スライダの下面のアンダーシールはシール装置の装着の有無に関わらず、しかも、シール部材を複数重ねて装着する場合においても従来品を使用することができる。従って、スライダの下面に取り付けられるアンダーシールは一つのスライダに対して１種類だけ用意しておけば良く、多種類を用意する場合に比べてコスト低減を図ることができる。
更に、シール部材に潤滑剤を含浸させて該潤滑剤を案内レールに供給可能とすることで、防塵効果と共に潤滑効果を持つことができ、直動案内軸受装置の更なる寿命延長を図ることができる。
【発明を実施するための最良の形態】
【００１１】
以下、本発明の実施の形態の一例を図を参照して説明する。図１は本発明の実施の形態の一例である直動案内軸受装置のシール装置におけるケーシング部材の外側面（スライダの端面側を向く面）を示す図、図２は図１のケーシング部材の内側面を示す図、図３は潤滑剤供給部材の一例を示す図、図４はシール部の一例を示す図、図５及び図６はシール部の変形例を示す図である。なお、この実施の形態では、既に図７及び図８で説明した従来の直動案内軸受装置との相違点についてのみ説明し、必要部分については図７及び図８の符号を流用する。
【００１２】
本発明の実施の形態の一例である直動案内軸受装置は、エンドキャップ９とサイドシール１１との間にシール装置（図示せず）が介装されており、該シール装置は、案内レール１に摺接してスライダ２の軸方向の端部をシールするシール部材２０（図３参照）と、少なくとも１つの該シール部材２０を収納するケーシング部材３０（図１及び図２参照）とを具備する。なお、シール装置はスライダ２の両端部ではなく、片端部のみの配置でも良い。
【００１３】
シール部材２０は潤滑油又はグリース等の潤滑剤を含有する例えば合成樹脂等から形成されており、図３に示すように、エンドキャップ９と同様に案内レール１の断面形状に対応した略コ字状に形成され、コ字状内周の一部又は全周が案内レール１に摺接して潤滑剤を供給するようになっている。
ケーシング部材３０は、図１及び図２に示すように、略コ字状とされて前記シール部材２０を収容する空間部３０ａを有しており、コ字状の内周は案内レール１に対して多少の間隔が設けられて該案内レール１とは非接触とされ、ケーシング部材３０の下面にのみ案内レール１に摺接するシール部３１が設けられている。
【００１４】
このシール部３１は、この実施の形態では、図４に示すように、ケーシング部材３０に一体で成形されているが、これに代えて、図５及び図６に示すように、シール部３１を別部材としてケーシング部材３０に接着（図５参照）や嵌合（図６参照）等で取り付けるようにしてもよい。
また、シール部３１の材質としては、シール装置の下面のシール性能を確保できる範囲において特に限定されるものではないが、エラストマー等のプラスチック材や、ニトリルゴム等のゴム材のほか、金属材でもよい。
【００１５】
このようにこの実施の形態では、シール装置のケーシング部材３０の下面にシール部３１を設けているので、シール装置の下面からの異物の侵入を防止することができ、これにより、直動案内軸受装置の寿命低下を防止することができる。
また、シール装置のケーシング部材３０の下面にシール部３１を設けているので、スライダ２の下面のアンダーシールはシール装置の装着の有無に関わらず、しかも、シール部材２０を複数重ねて装着する場合においても従来品を使用することができる。従って、スライダ２の下面に取り付けられるアンダーシールは一つのスライダ２に対して１種類だけ用意しておけば良く、多種類を用意する場合に比べてコスト低減を図ることができる。
【００１６】
更に、シール部材２０に潤滑剤を含浸させて該潤滑剤を案内レール１に供給可能としているので、防塵効果と共に潤滑効果を持つことができ、直動案内軸受装置の更なる寿命延長を図ることができる。
なお、本発明は上記実施の形態に限定されるものではなく、本発明の要旨を逸脱しない範囲において適宜変更可能である。
【００１７】
例えば、上記実施の形態では、転動体としてころを用いた直動案内軸受装置を例示したが、転動体にボールを用いた直動案内軸受装置に本発明を適用してもよいのは勿論である。
その他、上記実施の形態において例示した転動体転動面、案内レール、転動体、スライダ、シール装置、シール部材、ケーシング部材及びシール部等の材質，形状，寸法，形態，数，配置個所、取付方法等は本発明を達成できるものであれば任意であり、限定されない。
【図面の簡単な説明】
【００１８】
【図１】本発明の実施の形態の一例である直動案内軸受装置のシール装置におけるケーシング部材の外側面（スライダの端面側を向く面）を示す図である。
【図２】図１のケーシング部材の内側面を示す図である。
【図３】潤滑剤供給部材の一例を示す図で、（ａ）はスライダの軸方向から見た図、（ｂ）は（ａ）の右側面図である。
【図４】シール部の一例を示す図である。
【図５】シール部の変形例を示す図である。
【図６】シール部の変形例を示す図である。
【図７】従来の直動案内軸受装置の一例を説明するための一部を破断した図である。
【図８】図７の側面図である。
【符号の説明】
【００１９】
１  案内レール
２  スライダ
３  転動体転動溝（案内レール側）
５  転動体転動面（スライダ側）
６  ころ（転動体）
２０  シール部材
３０  ケーシング部材
３１  シール部
【図１】
2006170417.tif 000003
【図２】
2006170417.tif 000004
【図３】
2006170417.tif 000005
【図４】
2006170417.tif 000006
【図５】
2006170417.tif 000007
【図６】
2006170417.tif 000008
【図７】
2006170417.tif 000009
【図８】
2006170417.tif 000010